(57)【要約】      （修正有）【課題】平鋼で螺旋状に形成したスパイラルロッド（螺旋ロッド）を横架し、螺軸回転を軸方向移動に変換する作動部を介して吊下げた扉体の開閉移動を行うゲート開閉装置において、開閉のスムーズ性を改良したゲート開閉装置を提供する。【解決手段】螺旋回転を軸方向移動に変換する作動部３を、螺旋ロッド２２ａの軸方向と交わる軸方向を有するとともに、螺旋ロッドの回転外周円より内側に進出して螺旋ロッドを挟んで螺旋ロッドの外縁部と当接する、一対の自由回転軸体３２で構成する。【選択図】図３
0003198317.tif 000002
【実用新案登録請求の範囲】
【請求項１】
開閉可能に設けた扉の上方に、回転駆動部を付設した平鋼スパイラルロッドで形成された螺旋ロッドを横架すると共に、前記螺旋ロッドの回転を軸方向移動に変換する作動部を扉体に固着してなるゲート開閉装置において、作動部が、螺旋ロッドの軸方向と交る軸方向で、且つ前記螺旋ロッドの回転外周円より内側に進出して螺旋ロッドの外縁部と当接する自由回転軸体で構成してなることを特徴とするゲート開閉装置。
【請求項２】
自由回転軸体が、螺旋ロッドを挟んで一対で構成してなる請求項１記載のゲート開閉装置。
【請求項３】
螺旋ロッドを、中間から螺旋方向を逆転させ、螺旋方向の異なるロッドに各々扉体を設けてなる請求項１又は２記載のゲート開閉装置。
【考案の詳細な説明】
【技術分野】
【０００１】
本考案は、作業現場などを囲繞するフェンスに設けられた作業車両の出入り口の扉体の開閉を行うゲート開閉装置に関するものである。
【背景技術】
【０００２】
ゲート開閉装置（扉体駆動装置）として種々の構成のものが知られているが、本考案は、ゲート上方に横架した駆動用螺軸に、扉体に螺軸回転を軸方向移動に変換する作動部を備えさせ、前記作動部を螺軸に螺合し、螺軸の回転で扉体の開閉移動を行う装置に係るものである。特にゲート間隔が広い場合、螺軸として、撓みが生じない程度の太径の丸棒から切削形成した棒状ネジ軸を採用したのではコスト高となってしまう。このため螺軸に替えて平鋼を螺旋状に形成したスパイラルロッド（螺旋ロッド）を採用することが提案されている（特許文献１）。
【先行技術文献】
【特許文献】
【０００３】
【特許文献１】特開２００８−２２３４４９号公報。
【考案の概要】
【考案が解決しようとする課題】
【０００４】
回転駆動軸として平鋼で螺旋状に形成したスパイラルロッド（螺旋ロッド）を採用した特許文献１に開示されている作動部は、螺旋ロッドに噛みあわせた移動子である。前記の移動子は、図示によると螺旋ロッドの螺旋面に当接することで噛みあわせを実現しているものである。即ち螺旋ロッドが回転すると、螺旋ロッドの螺旋面（平鋼板の表裏面）で移動子の当接面を擦りながら軸方向に押し出すものである。このため摩擦抵抗が扉体の開閉移動の抵抗となり、低コストの平鋼スパイラルロッドを採用しても開閉動作のスムーズ性が阻害される。
【０００５】
そこで本考案は、平鋼スパイラルロッドの回転を扉体の開閉駆動に変換する作動部を改良したゲート開閉装置を提案したものである。
【課題を解決するための手段】
【０００６】
本考案の請求項１記載に係るゲート開閉装置は、開閉可能に設けた扉の上方に、回転駆動部を付設した平鋼スパイラルロッドで形成された螺旋ロッドを横架すると共に、前記螺旋ロッドの回転を軸方向移動に変換する作動部を扉体に固着してなるゲート開閉装置において、作動部が、螺旋ロッドの軸方向と交る軸方向で、且つ前記螺旋ロッドの回転外周円より内側に進出して螺旋ロッドの外縁部と当接する自由回転軸体で構成してなることを特徴とするものである。
【０００７】
而して螺旋ロッド（平鋼スパイラルロッド）を回転させると、自由回転軸体は、常に螺旋ロッドの外縁部に当接するので、自由回転軸体を備えた作動部は螺旋ロッドの回転に伴って軸方向に移動する。同時に作動部が設けられている扉体が移動し、ゲートの開閉動作を行うことになる。
【０００８】
また本考案の請求項２記載に係るゲート開閉装置は、自由回転軸体が、螺旋ロッドを挟んで一対で構成してなるもので、螺旋ロッドを挟む状態で装着されるので、扉体に開閉動作中に移動方向以外の外力が加わっても、自由回転軸体が螺旋ロッド外縁部から離れることなく、スムーズなゲート開閉がなされる。
【０００９】
また本考案の請求項３記載に係るゲート開閉装置は、螺旋ロッドの中間から螺旋方向を逆転させ、螺旋方向の異なるロッドに各々扉体を設けてなるもので、螺旋ロッドの回転で左右の扉体が同時に開閉動作を行い、両開き・両閉じがなされる。
【考案の効果】
【００１０】
本考案は上記の構成で、ゲートの開閉駆動の回転軸として低コストの平鋼スパイラルロッドを採用しても、何ら支障なくスムーズなゲートの開閉動作を実現したものである。
【図面の簡単な説明】
【００１１】
【図１】本考案の実施形態の全体図。
【図２】同要部断面図で、（イ）は扉吊下げ箇所の断面図（ロ）はロッド中間部分の断面図。
【図３】同作動部の拡大図。
【考案を実施するための形態】
【００１２】
次に本考案の実施形態について説明する。本考案のゲート開閉装置が適用されるゲートは、例えばフェンス０１で囲繞された作業現場に設けられた出入口に、左右の支柱０２と支柱間に扉用のレール０３を備えた横架材０４を架設し、扉体０５の上方に突設した吊下げ腕０６に戸車０７を設け、戸車０７をレール０３に装着して扉体０５を吊下げ、レール０３に沿って扉体０５が移動することで、ゲートの開閉を行うものである。
【００１３】
ゲート開閉装置は、回転駆動部１と、ロッド部２と、作動部３で構成され、回転駆動部１は、一方の支柱０２に装着された駆動モータ部（適宜な減速装置を備えている）１１と、前記駆動モータ部１１への電力供給のオンオフ並びに回転方向の制御を行う制御スイッチ部１２を備えてなる。
【００１４】
ロッド部２は、中間に連結筒部２１を設け、その左右に螺旋ロッド２２ａ，２２ｂを連結し、回転自在にレール０３と平行に架設したものであり、螺旋ロッド２２ａ，２２ｂは、平鋼を螺旋状に捩じった平鋼スパイラルロッドで形成し、左右の螺旋ロッド２２ａ，２２ｂの螺旋方向を逆にしているものである。また中間の連結筒部２１は横架材０４に固定した軸受部２３で支持されている。
【００１５】
作動部３は、固定ベース部３１を、各扉体０５の吊下げ腕０６に設け、前記固定ベース部３１にロッド部２と水平方向で直交する自由回転軸体３２を設けたものである。
【００１６】
自由回転軸体３２は、軸全体が自由回転するような構造でも、また固定軸の外側に自由回転する筒状体を外挿する構造でも良く、螺旋ロッド２２ａ，２２ｂの回転外周円より内側に位置すると共に、自由回転軸体３２の外周面が螺旋ロッド２２ａ，２２ｂの外縁部と当接させてなり、特に自由回転軸体３２は、螺旋ロッド２２ａ，２２ｂの上下を挟んで設けたものである。
【００１７】
而して制御スイッチ部１２でゲート開閉指示のスイッチをオンとすると、駆動モータ部１１が所定方向に回転駆動する。駆動モータ部１１の回転によってロッド部２が回転し、ロッド部２の回転によって自由回転軸体３２が螺旋ロッド２２ａ，２２ｂの外縁部で押し出されるので、自由回転軸体３２が転がりながら軸方向に移動し、これによって扉体０５が開閉動作（両開き・両閉じ）をなすものである。
【００１８】
特に自由回転軸体３２で螺旋ロッド２２ａ，２２ｂを上下から挟むように設けているものであるから。扉体０５に開閉移動と関係ない外部の力、例えば扉体０５を持ち上げる力などが加わっても、螺旋ロッド２２ａ，２２ｂから作動部３が外れることが無く、また両開き・両閉じ構造を採用することで、駆動モータ部１１の駆動時間を短縮できるものである。
【符号の説明】
【００１９】
１      回転駆動部
１１    駆動モータ部
１２    制御スイッチ部
２      ロッド部
２１    連結筒部
２２ａ，２２ｂ  螺旋ロッド
２３    軸受部
３      作動部
３１    固定ベース部
３２    自由回転軸体
０１    フェンス
０２    支柱
０３    レール
０４    横架材
０５    扉体
０６    吊下げ腕
０７    戸車
【図１】
0003198317.tif 000003
【図２】
0003198317.tif 000004
【図３】
0003198317.tif 000005